(57)【要約】      （修正有）【課題】使用者が高所等でランヤードをハーネスから簡単に取り外すことはできないため、使用中の安全を確保したまま、環が脱着可能な構造のハーネス型安全帯を提供する。【解決手段】ハーネス型安全帯１００は、一対の肩ベルト１Ａ、１Ｂと、一対の腿ベルト２Ａ、２Ｂと、上部ベルト分岐部材３及び下部ベルト分岐部材４と、ランヤードを固定するＤ環７とを備える。一の肩ベルト１Ａは、使用者の両肩を通り前面側を両肩から下方に延びる一端に腿ベルト２Ａが固定され、下部ベルト分岐部材４から下方に二股に分かれて延びる他端を筒状部１０Ａとし、腿ベルト２Ａを抜き差し自在に挿通せしめている。上部ベルト分岐部材３と下部ベルト分岐部材４は、複数の長孔を備え、Ｄ環７は、一対の肩ベルト１Ａ、１ＢがＤ環７の孔を介して該複数の長孔に挿通することで上部ベルト分岐部材３に取り付けられる。【選択図】図１
0003199759.tif 000002
【実用新案登録請求の範囲】
【請求項１】
一対の肩ベルトと、前記一対の肩ベルトに取り付けられる一対の腿ベルトと、使用者の背中の上下に配置され、前記一対の肩ベルトを分岐又は収束する上部ベルト分岐部材及び下部ベルト分岐部材と、ランヤードを固定するＤ環とを備えるハーネス型安全帯であって、 
前記一対の肩ベルトは、前記上部ベルト分岐部材から上方に二股に分かれて延びて前記使用者の両肩を通り前記使用者の前面側を両肩から下方に延びる一端に前記腿ベルトが固定され、前記上部ベルト分岐部材から前記下部ベルト分岐部材に収束し、前記下部ベルト分岐部材から下方に二股に分かれて延びる他端を筒状部とし、該筒状部に前記腿ベルトを抜き差し自在に挿通せしめ、
前記上部ベルト分岐部材と前記下部ベルト分岐部材は、前記一対の肩ベルトを挿通するための複数の長孔を備え、
前記Ｄ環は、前記一対の肩ベルトが前記Ｄ環の孔を介して前記複数の長孔に挿通することで前記上部ベルト分岐部材に取り付けられることを特徴とするハーネス型安全帯。
【請求項２】
前記肩ベルトの前記他端に前記腿ベルトをクロスさせる際に使用して両者をずれないように固定する固定部材を備えることを特徴とする請求項１に記載のハーネス型安全帯。
【請求項３】
前記固定部材は、一対のベルト固定部とこれを連結する帯状部を備え、前記ベルト固定部は前記肩ベルト又は前記腿ベルトを挿通するベルト通しが開口していることを特徴とする請求項１又は２に記載のハーネス型安全帯。
【考案の詳細な説明】
【技術分野】
【０００１】
本考案は、Ｄ環が脱着可能な構造のハーネス型安全帯に関する。
【背景技術】
【０００２】
一般に、建築現場等の高所で作業を行う場合、作業者には転落防止のための安全帯の着用が義務づけられている。この種の安全帯は、人体の胴部に装着される胴ベルトと、胴ベルトに連結された所定長さのロープとからなり、ロープの先端に取付けられた繋止用フックを作業現場の親綱等に掛けるようにしたものが一般的である。しかしながら、この胴ベルト式の安全帯は人体の胴部に装着されるため、ロープからの張力が胴部に集中するとともに、吊り下げられた姿勢も不安定になり易い。そこで、人体の胴部のみならず、両肩、背部及び大腿部に亘って延びるベルトを備え、背部のベルトにロープを連結することにより、人体に加わるロープからの張力をベルトによって分散させ、人体を安定して支持するようにした、いわゆるハーネス型の安全帯が知られている。
【０００３】
ハーネス型の安全帯には、腰と太腿の部分を保持するレッグループ式ハーネス（シットハーネス）と、胴から上の胸部を保持するチェストハーネスがあり、さらに両者を併せたフルボディハーネスと呼ばれるものがある。本考案においては、フルボディハーネスを単に「ハーネス」と呼ぶ。
【０００４】
一方、ランヤードは、開閉できるフック、綱、ベルト金具の構成になっているもので、前述した胴ベルト式安全帯の場合は、安全帯を体に装着したときのＤ環金具に繋止された綱の先端の開閉できるフックを構造物に接続することで安全確保を行う。このような胴ベルト式の安全帯の場合は、胴ベルトが一本の帯であるため端があり、ランヤードは環を抜き取ることで胴ベルトから脱離することが可能である。
【０００５】
ところが、従来のハーネスは身体全体に巻きつける帯状の構造体を形成し、帯が輪になっていることから端がない。したがって、ランヤードが固定される環をハーネスから脱離することができない。環が脱離できないことにより、使用者は、劣化の進んだランヤードのみを交換したくても、ハーネス／ランヤード一体の製品を改めて購入しなければならないという問題があった。
【０００６】
このような問題を解決するため、ハーネスに使用されるランヤードは、固定式の環の代替として小フックを取り付け、この小フックをハーネス側の環に着脱できるようにした製品が市販されている。
【考案の概要】
【考案が解決しようとする課題】
【０００７】
しかしながら、ＪＩＳの規定では取り外しが容易にできる構造の製品を認めていない。安全帯はこのＪＩＳの規定に準拠する必要がないとされているものの、将来的に事故が起こる可能性は排除できず、使用者がランヤードをハーネスから簡単に取り外せる構造は避けるべきである。本考案は、このような問題に鑑み、使用者が高所等でランヤードをハーネスから簡単に取り外すことはできず使用中の安全を確保したまま、環が脱着可能な構造のハーネス型安全帯を提案することを課題とする。
【課題を解決するための手段】
【０００８】
本考案に係るハーネス型の安全帯は、一対の肩ベルトと、該一対の肩ベルトに取り付けられる一対の腿ベルトと、使用者の背中の上下に配置され、一対の肩ベルトを分岐又は収束する上部ベルト分岐部材及び下部ベルト分岐部材と、ランヤードを固定するＤ環とを備えるハーネス型安全帯であって、一対の肩ベルトは、上部ベルト分岐部材から上方に二股に分かれて延びて使用者の両肩を通り使用者の前面側を両肩から下方に延びる一端に腿ベルトが固定され、上部ベルト分岐部材から下部ベルト分岐部材に収束し、下部ベルト分岐部材から下方に二股に分かれて延びる他端を筒状部とし、該筒状部に腿ベルトを抜き差し自在に挿通せしめ、上部ベルト分岐部材と下部ベルト分岐部材は、一対の肩ベルトを挿通するための複数の長孔を備え、Ｄ環は、一対の肩ベルトがＤ環の孔を介して該複数の長孔に挿通することで上部ベルト分岐部材に取り付けられることを特徴とする。
【０００９】
また、肩ベルトの他端に腿ベルトをクロスさせる際に使用して両者をずれないように固定する固定部材を備えると好適である。さらに、この固定部材は、一対のベルト固定部とこれを連結する帯状部を備え、ベルト固定部は肩ベルト又は腿ベルトを挿通するベルト通しが開口している構造であれば、肩ベルトと腿ベルトの脱着に便利である。
【考案の効果】
【００１０】
本考案に係るハーネス型安全帯によれば、使用者が高所等でランヤードをハーネスから簡単に取り外すことはできず使用中の安全を確保したまま、環が脱着可能であるので、劣化の進んだランヤードのみを交換したい利用者にとって、利便性が高まるという効果がある。
【図面の簡単な説明】
【００１１】
【図１】本考案に係るハーネス型安全帯１００の全体構成を概略的に示す図である。
【図２】本考案に係るハーネス型安全帯１００において、肩ベルトの一端に腿ベルトを取り付けた状態の要部を示す図である。
【図３】一の固定部材を示す図である。
【図４】一のベルト固定部を示す図である。
【図５】図４に示されたＡ−Ａ断面図（ａ）とＢ−Ｂ断面図（ｂ）である。
【図６】ベルト分岐部材を示す図（ａ）と、これにＤ環が取り付けられる状態を示す断面図（ｂ）である。
【図７】Ｄ環を取り外す手順の一部を示す図である。
【図８】Ｄ環を取り外す手順の一部を示す図である。
【図９】Ｄ環を取り外す手順の一部を示す図である。
【図１０】Ｄ環を取り外す手順の一部を示す図である。
【図１１】Ｄ環を取り外す手順の一部を示す図である。
【図１２】Ｄ環を取り外した状態のハーネス型安全帯１００の全体構成を概略的に示す図である。
【考案を実施するための最良の形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。
【００１４】
図１を参照する。図１は、本考案に係るハーネス型安全帯１００の全体構成を概略的に示す図である。図１に示すとおり、本考案に係るハーネス型安全帯１００は、作業者の背中に配置されるベルト分岐部材３から上方に二股に分かれて延びて使用者の両肩を通り、該使用者の前面側を両肩から下方に延びる一対の肩ベルト１Ａ、１Ｂと、一対の肩ベルト１Ａ、１Ｂの下端に取り付けられる一対の腿ベルト２Ａ、２Ｂを備える。一対の肩ベルト１Ａ、１Ｂは、使用者の肩に当接する部分に肩パッドを備えてもよい。また、本考案に係るハーネス型安全帯１００は、該使用者の前面側を両肩から下方に延びる一対の肩ベルト１Ａ、１Ｂにおいて、使用者の胸部分で連結される胸ベルト１２Ａ、１２Ｂを設けることができる。なお、胸ベルトバックルの雌１３Ａと雄１３Ｂとにより連結されるとよい。
【００１５】
一対の腿ベルト２Ａ、２Ｂの一端は、該使用者の前面側を両肩から下方に延びる一対の肩ベルト１Ａ、１Ｂの端に固定されている。固定は縫合や接着等でされるとよい。他方、一対の腿ベルト２Ａ、２Ｂの他端は、該使用者の後面側を両肩からベルト分岐部材３を介して下方に延びて別のベルト分岐部材４を挿通して分岐されて延びる一対の肩ベルト１Ａ、１Ｂの下端に取り付けられる。この下端部を筒状部１０Ａ、１０Ｂとし、該筒状部１０Ａ、１０Ｂに腿ベルト２Ａ、２Ｂを抜き差し自在に挿通せしめている。
【００１６】
図２を参照する。図２は、本考案に係るハーネス型安全帯１００において、肩ベルト１Ａの一端１０Ａに腿ベルト２Ａを取り付けた状態の要部を示す図である。前述したとおり、腿ベルト２Ａの他端は、該使用者の後面側を両肩からベルト分岐部材３を介して下方に延びて別のベルト分岐部材４を挿通して分岐されて延びる一対の肩ベルト１Ａの下端に取り付けられる。この下端部は折り返されて端が縫合線（点線で示されている）で縫合されて筒状部１０Ａ、１０Ｂを形成する。すなわち、肩ベルト１Ａの端にループが形成されて、該筒状部１０Ａに腿ベルト２Ａを抜き差し自在に挿通せしめているのである。抜き差し自在に挿通せしめるため、筒状部１０Ａの幅は、腿ベルト２Ａの幅よりも少し大きく、後述するベルトバックル２２Ａの幅と同じか少し大きい寸法を有する。肩ベルト１Ｂの一端１０Ｂと腿ベルト２Ｂの関係も同様であるので、説明は省略する。
【００１７】
図３を参照する。図３は、一の固定部材５を示す図であり、正面図（ａ）、平面図（ｂ）、右側面図（ｃ）である。図３を参照すると、固定部材５は、一対のベルト固定部５１、５２と、両者を両端に配置して抱持するように連結した一の帯からなる帯状部５０とからなる。固定部材５は、使用者が墜落を防止するために身体に装着するハーネス型安全帯１００において、一般にベルトの先端に別のベルトをクロスさせる際に使用して両者をずれないように固定する固定具である。帯状部５０に一のベルトの一端を固定又は固着し、他のベルトを一方のベルト通し部から帯部を介して他方のベルト通しに通すことができる。そうすると、他のベルトは固定部材５に着脱自在であるだけでなく、一のベルトと他のベルトとは、ずれることなく固定することが可能になる。
【００１８】
図４及び５を参照する。図４は、一のベルト固定部５１を示す図である。図５は図４に示されたＡ−Ａ断面図（ａ）とＢ−Ｂ断面図（ｂ）である。図４（ａ）の正面図に示すとおり、ベルト固定部５１は、漢字の「山」の上に逆さの「山」の漢字を重ねたような形状で、基部５１０の両端に上下に対向して形成された突起状のベルト押さえ部５１１ａ、５１１ｂ、５１２ａ、５１２ｂを備える。また、ベルト押さえ部５１１ａ、５１２ａ間にベルト挿通部５１３ａ、ベルト押さえ部５１１ｂ、５１２ｂ間にベルト挿通部５１３ｂが形成されている。肩ベルト１又は腿ベルト２は、ベルト挿通部５１３ａ、５１３ｂに挿通することにより、ベルトを固定したり位置調整したりすることができる。さらに、ベルト固定部５１は、ベルト挿通部５１３ａ、５１３ｂが閉鎖されておらず、開口部５１４ａ、５１４ｂを備える。この開口部５１４ａ、５１４ｂにより、後述するとおり、ベルト１、２を分離することができ、最終的にＤ環７を離脱させることが可能となる。ベルト固定部５２の形状も同一であるので、省略する。
【００１９】
図６を参照する。図６は、ベルト分岐部材３を示す図（ａ）と、これにＤ環７が取り付けられる状態を示す断面図（ｂ）である。図６（ａ）に示すとおり、ベルト分岐部材３は複数の長孔３１、３２、３３Ａ、３４Ａ、３３Ｂ、３４Ｂを備え、一対の肩ベルト１Ａ、１Ｂが該複数の長孔３１、３２、３３Ａ、３４Ａ、３３Ｂ、３４ＢにＤ環７を介して挿通することで該Ｄ環７がベルト分岐部材３に取り付けられる。図６（ｂ）を参照すると、肩ベルト１Ａは、ベルト分岐部材３の底から長孔３１に挿通し、Ｄ環７を介して長孔３２、さらに長孔３３Ａ、３４Ａに挿通して肩パッドの方に延びている。また、肩ベルト１Ｂは、ベルト分岐部材３の底から長孔３１に挿通し、Ｄ環７を介して長孔３２、さらに長孔３３Ｂ、３４Ｂ（図に示していない）に挿通している。つまり、Ｄ環７は肩ベルト１Ａ、１Ｂによって二重にベルト分岐部材３に固定されていることが理解できるであろう。したがって、Ｄ環７が作業中に外れることはなく、安全に作業をすることができる。
【００２０】
次に、Ｄ環７を取り外す手順を詳細に説明する。図７〜１１は、Ｄ環７を取り外す手順を示す図である。図１２は、Ｄ環７を取り外した状態のハーネス型安全帯１００の全体構成を概略的に示す図である。
【００２１】
図７（ａ）は、腿ベルト２Ａの他端が、使用者の後面側を両肩からベルト分岐部材３を介して下方に延びて別のベルト分岐部材４を挿通して分岐されて延びる一対の肩ベルト１Ａの下端に取り付けられている状態を示している。この下端部は折り返されて端が縫合線１０１Ａ（点線で示されている）で縫合されて筒状部１０Ａを形成し、ここに腿ベルト２Ａを挿通して連結しているのである。この状態から、腿ベルト２Ａから固定部材５Ａを脱離させる。脱離は、図４で説明したとおり、ベルト固定部５１は、ベルト挿通部５１３ａ、５１３ｂが閉鎖されておらず、開口部５１４ａ、５１４ｂを備えているので、この開口部５１４ａ、５１４ｂからベルト２を分離する（図７（ｂ））。
【００２２】
図８及び９は、筒状部１０Ａからベルト２Ａを外す経緯を示している。すなわち、ベルト２Ａの一端に備える雌のベルトバックル２２Ａを筒状部１０Ａ方向に引き、筒状部１０Ａに通してベルト２Ａを外すのである。ベルト２Ａが外れた様子は図１０に示している。筒状部１０Ｂからベルト２Ｂを外すことは同様であるので省略する。図１１は、ベルト２Ａ、２Ｂがベルト１Ａ、１Ｂから離脱するとともに、ベルト分岐部材４及び固定部材５Ｃがベルト１Ａ、１Ｂから離脱されている状態を示している。
【００２３】
図１１において点線部分Ｘは、図６（ｂ）に示したように、肩ベルト１Ａは、ベルト分岐部材３の底から長孔３１に挿通し、Ｄ環７を介して長孔３２、さらに長孔３３Ａ、３４Ａに挿通して肩パッドの方に延びている。また、肩ベルト１Ｂは、ベルト分岐部材３の底から長孔３１に挿通し、Ｄ環７を介して長孔３２、さらに長孔３３Ｂ、３４Ｂ（図に示していない）に挿通している。つまり、Ｄ環７は肩ベルト１Ａ、１Ｂによって二重にベルト分岐部材３に固定されている。このような状態で、筒状部１０Ａをベルト分岐部材３の底から長孔３１に通し、Ｄ環７から外し、さらに、長孔３３Ａ、３４Ａに挿通して、ベルト分岐部材３から抜く。同じように、筒状部１０Ｂをベルト分岐部材３の底から長孔３１に通し、Ｄ環７から外し、さらに、長孔３３Ｂ、３４Ｂに挿通して、ベルト分岐部材３から抜く。そうすると、Ｄ環７が肩ベルト１Ａ、１Ｂ及びベルト分岐部材３から離脱する（図１２）。
【００２４】
以上、本考案に係るハーネス型安全帯１００における好ましい実施形態を図示して説明してきたが、本考案の技術的範囲を逸脱することなく種々の変更が可能であることは理解されるであろう。
【産業上の利用可能性】
【００２５】
本考案に係るハーネス型安全帯１００の構造は、使用者の肩から背中側のベルト分岐部材を介して片ベルトが可能に一筋延びる、いわゆるＹ型ハーネス安全帯について利用することができるが、ベルト分岐部材を介さず両肩から背中側下方に一対の片ベルトが延びる、いわゆるＨ型ハーネス安全帯にも利用することができる。
【符号の説明】
【００２６】
１００  ハーネス型安全帯
１Ａ  １Ｂ  肩ベルト
１０Ａ  １０Ｂ  筒状部
１０１Ａ  １０１Ｂ  縫着部
２Ａ  ２Ｂ  腿ベルト
３  ４  ベルト分岐部材
３１  ３２  長孔
３３Ａ  ３３Ｂ  長孔
３４Ａ  ３４Ｂ  長孔
５Ａ  ５Ｂ  ５Ｃ  固定部材
５０  帯状部
５１  ５２  ベルト固定部
５１１ａ  ５１１ｂ  ベルト押さえ部
５１２ａ  ５１２ｂ  ベルト押さえ部
５１３ａ  ５１３ｂ  ベルト通し
５１４ａ  ５１４ｂ  開口部
６Ａ  ６Ｂ  緩み止め部材
７  Ｄ環
【図１】
0003199759.tif 000003
【図２】
0003199759.tif 000004
【図３】
0003199759.tif 000005
【図４】
0003199759.tif 000006
【図５】
0003199759.tif 000007
【図６】
0003199759.tif 000008
【図７】
0003199759.tif 000009
【図８】
0003199759.tif 000010
【図９】
0003199759.tif 000011
【図１０】
0003199759.tif 000012
【図１１】
0003199759.tif 000013
【図１２】
0003199759.tif 000014